(57)【要約】本発明は、タイムスタンプが記録担体上に記憶された情報ブロックに割り当てられた前記記録担体のコピー検出方法に関する。オリジナルとコピーを区別する安全な方法を提供するため、本発明によれば、後続の情報ブロックに割り当てられた前記タイムスタンプのタイミングは少なくとも１つの不連続を有し、前記少なくとも１つの不連続はユーザ情報を符号化するために用いられる。
2005523546.tif 000002
【特許請求の範囲】
【請求項１】
記録担体に記憶された情報ブロックにタイムスタンプが割り当てられた、前記記録担体のコピー検出方法であって、
後続の情報ブロックに割り当てられた前記タイムスタンプのタイミングが少なくとも１つの不連続を有し、
前記少なくとも１つの不連続はユーザ情報を符号化するために用いられることを特徴とする方法。
【請求項２】
請求項１に記載の方法であって、前記少なくとも１つの不連続は、前記記録担体を一意的に特定する一意的な識別子を符号化するために用いられる方法。
【請求項３】
請求項２に記載の方法であって、前記一意的な識別子は、特にリードオンリー光ディスクの光記録システムのサブコードQチャンネルに記憶される方法。
【請求項４】
請求項１に記載の方法であって、前記少なくとも１つの不連続は、光記録担体のリードインエリア、リードアウトエリア、および／またはプログラムエリアの所定位置にのみ現れる方法。
【請求項５】
請求項１に記載の方法であって、異なるタイプの不連続は、記録担体に記憶された異なるコンテントに適用される方法。
【請求項６】
記録担体に記憶された情報ブロックにタイムスタンプが割り当てられた、前記記録担体のコピー検出方法であって、後続の情報ブロックに割り当てられた前記タイムスタンプのタイミングが少なくとも１つの不連続を有し、前記少なくとも１つの不連続はユーザ情報を符号化するために用いられ、
−  前記記録担体から前記タイムスタンプを読むステップと、
−  前記タイムスタンプ内に符号化された前記ユーザ情報を取得するために前記タイムスタンプを復号するステップとを有する方法。
【請求項７】
記録担体に記憶された情報ブロックにタイムスタンプが割り当てられた、前記記録担体のコピー検出装置であって、
前記タイムスタンプのタイミングが少なくとも１つの不連続を有するように、後続の情報ブロックに前記タイムスタンプを割り当てる手段と、
ユーザ情報を前記少なくとも１つの不連続に符号化する手段とを有する装置。
【請求項８】
記録担体に記憶された情報ブロックにタイムスタンプが割り当てられた、前記記録担体のコピー検出装置であって、後続の情報ブロックに割り当てられた前記タイムスタンプのタイミングが少なくとも１つの不連続を有し、前記少なくとも１つの不連続はユーザ情報を符号化するために用いられ、
−  前記記録担体から前記タイムスタンプを読む手段と、
−  前記タイムスタンプ内に符号化された前記ユーザ情報を取得するために前記タイムスタンプを復号する手段とを有する装置。
【請求項９】
記憶された情報ブロックにタイムスタンプが割り当てられた記録担体であって、
後続の情報ブロックに割り当てられた前記タイムスタンプのタイミングが少なくとも１つの不連続を有し、
ユーザ情報が前記少なくとも１つの不連続に符号化されていることを特徴とする方法。
【請求項１０】
コンピュータ上で実行された時に前記コンピュータに請求項１ないし６いずれか一項記載の方法のステップを実行させるプログラムコード手段を有する、請求項１ないし６いずれか一項記載の方法を実施するためのコンピュータプログラム。
【発明の詳細な説明】
【発明の詳細な説明】
【０００１】
本発明は、タイムジャンプが記録担体に記憶された情報ブロックに割り当てられた前記記録担体のコピー検出方法に関する。本発明は、上記の記録担体を読出し方法、対応する装置、上記の記憶担体自身、および前記方法を実施するためのコンピュータプログラムに関する。
【０００２】
WO98/03973A2は、望ましくないまたは違法なコピーを提供する光ディスクおよび光ディスク記録装置を開示している。光ディスクのセクターに割り当てられたアドレスラベルは一般に線形に増加するが、特定のセクターのアドレスレベルは、その特定のセクターは情報コンテントを有していないものもあり、標準のCDレコーダ装置でCD-ROMディスクをコピーできないようにするするためのアドレス値として例えばゼロが与えられている。
【０００３】
オリジナルの記録担体とコピーされた記録担体とを容易に区別することがしばしば望まれている。それゆえ、例えば記録担体のディストリビュータや販売拠点によってしばしばユニークな識別子が記録担体に割り当てられ、それに記憶されている。再生機器が高い信頼性で記録担体のオリジナルとコピーとを区別できる記録担体をコピー検出およびプロテクションする方法を提供することが本発明の目的である。さらに、上記の記録担体を読み出す方法を提供する。
【０００４】
この目的は、本発明によると請求項１に記載の方法により達成される。この方法によると、後続の情報ブロックに割り当てられたタイムスタンプのタイミングは少なくとも１つの不連続を有し、前記少なくとも１つの不連続はユーザ情報を符号化するために用いられる。前記不連続は再生機器が前記記録担体を読めるようにデザインされている。しかし、上記の記録担体、例えばR/RWディスクをコピーするとき、コピーが連続的なタイミングとなるよう上記の不連続は修正される。よって、タイムスタンプのタイミング中に不連続が存在することは、その記録担体がオリジナルかコピーかのしるしとして用いることができる。さらに、ユーザ情報は前記少なくとも１つの不連続を用いることにより符号化される。例えば、安全でユニークな識別子を符号化することができる。もしコピーでタイムスタンプのタイミング中の不連続が通常の記録機器により修正されると、読み出し機器が上記のコピーにアクセスした時、上記の安全でユニークな識別子はその読み出し機器により復号されない。
【０００５】
本発明の好ましい実施形態は、従属項に明確に記載されている。記録担体の読み出し方法が請求項６に明確に記載されており、
−  前記記録担体から前記タイムスタンプを読むステップと、
−  前記タイムスタンプ内に符号化された前記ユーザ情報を取得するために前記タイムスタンプを復号するステップとを有する。
【０００６】
対応するコピー検出装置と記録担体読み出し装置が請求項７と８に明確に記載されている。本発明による記録担体が請求項９に明確に記載されている。請求項１０に記載されたように、本発明は、本発明による方法を実行するコンピュータプログラムにさらに関する。
【０００７】
図面を参照して本発明をさらに詳しく説明する。 
図１は、光ディスク等の記録担体に記憶された情報ブロックに割り当てられたタイムスタンプのタイミング内に不連続を提供する第１の可能性を示す。通常、タイミングは連続である、すなわち後続する情報ブロックに割り当てられたタイムスタンプは連続で線形に増加する。しかし、本発明の本実施形態によると、記録担体のリードインエリアの一定の場所で、サブコードの時間がジャンプしている。図示した例において、サブコードフレーム97:49:74にはサブコードフレーム98:00:00が続いている。すなわち、サブコードタイミングにはタイムジャンプがある。これは簡単な例であるが、すべてのタイトルが異なるジャンプ長を有することもできる。
【０００８】
他の簡単な不連続の可能性を図２に示した。ここで、リードインエリアにおいて、サブコードタイムは最初減少し、直線的に増加した後、元の線形に増加するタイミング線にジャンプして増加している。
【０００９】
上記の不連続を有する記録担体にアクセスする読み出し機器は、ファームウェアを変更すれば、上記の不連続を少なくとも検出でき、またはタイムジャンプの長さを測定することもできる。これは、前記不連続にユーザ情報を符号化して、例えばタイムジャンプの方法、長さ、および／または位置として入れることができることを意味する。
【００１０】
ディスクのリードインエリア内のあるタイムジャンプエリアに、不連続を提供する第３の可能性を図３に示した。ここで、ビットシーケンス“0110”を符号化するためにタイミングが変調されている。図示したように、負のタイムジャンプの後に正のタイムジャンプが続くとき、ビットの値はゼロであると解釈し、正のタイムジャンプの後に負のタイムジャンプが続くとき、ビットの値は１であると解釈する。ここで、「負の」とは時間が減少することであり、「正の」とは時間が増加することである。このように、特定のユーザ情報をタイミングの不連続内に符号化することができる。
【００１１】
本発明によるエンコーダのブロック図を図４に示した。図４において、コンテントはメインチャンネルデータ部１によりメインチャンネルデータに符号化され、テーブル・オブ・コンテント情報およびトラックタイミング情報等の付加的情報がサブコードデータ部２によりサブコードデータに符号化される。さらに、前記データが記憶されるディスクを一意的に特定するプロテクトされていないUDI（ユニークディスク識別子）が、前記サブコードデータに内蔵される。一般に、UDIはどこに記憶してもよい、すなわちメインチャンネルでもサブコードデータでもよいことに注意すべきである。
【００１２】
本発明によると、UDIがリードオンリディスクに発するものでありコピーからのものではないことの高い確実性を特定のアプリケーションや再生機器が要求するときに安全なUDIを生成するために、ハッシュ関数部３が設けられている。前記ハッシュ関数部３は、プロテクトされていないUDIと、図４に示した例においてはROM部分から生成された数値を入力として有する。上記のROM部分は、図１から３に示したタイミング中に不連続を内蔵するためにタイミングを変調する方法であってもよい。ハッシュ関数部３の出力は安全なUDIである。前記ROM部分は、前記安全なUDIを生成するために読み出し機器により用いられる前記不連続を挿入するためにタイミングを変調するためにサブコードデータ部２にも設けられる。
【００１３】
EFMモジュレータ４は、最終的にレーザビームレコーダ５によりディスク上に記録されるチャンネルビットストリームに、メインチャンネルデータとサブコードデータをインターリーブおよび変調するために設けられている。
【００１４】
図５は、アクセスしたディスクがオリジナルかコピーかを検出する本発明によるデコーダのブロック図である。図５において、光ピックアップ部６はディスクにアクセスし読み取るために設けられている。リードチャンネルのビットストリームは、メインチャンネルデータ部８により処理され実際のコンテントになるメインチャンネルデータと、サブコードデータ部９により処理されるサブコードデータにEFMでモジュレータ７により復調される。前記サブコードデータからプロテクトされていないUDIが回復される。前記プロテクトされていないUDIは、エンコーダのハッシュ関数部３に類似または同一であるハッシュ関数部１０にも提供される。第２の入力として、アクセスしたディスクからの既に説明したROM部分は、ハッシュ関数部１０に提供される。すなわち、プロテクトされていないUDIとともに、いかなるタイミングの不連続により、特にサブコードデータのおよび／またはリードインエリア内のタイミングの不連続により、安全なUDIを計算することができる。もし不連続が検出できないと、コピーされたディスクの場合と同じように、安全なUDIを生成することができない。それゆえ、本発明により、オリジナルとコピーを区別する効率的で安全な方法が提供される。
【図面の簡単な説明】
【００１５】
【図１】不連続の第１の可能性を示す図である。
【図２】不連続の第２の可能性を示す図である。
【図３】不連続の第３の可能性を示す図である。
【図４】本発明によるエンコーダのブロック図である。
【図５】本発明によるデコーダのブロック図である。
【図１】
2005523546.tif 000003
【図２】
2005523546.tif 000004
【図３】
2005523546.tif 000005
【図４】
2005523546.tif 000006
【図５】
2005523546.tif 000007
【国際調査報告】
2005523546.tif 000008
2005523546.tif 000009
2005523546.tif 000010
2005523546.tif 000011